(57)【要約】【課題】紙パックの底部を切断することができ、紙パックが潰れにくく、カッターによる剪断力が効率的に働き、手に怪我をする可能性の少ない紙パック切断器具を提供する。【解決手段】本体９に設けられ紙パック３を載せ前記底部５を受ける台１１の後方に、紙パック３の底部近くの側面１０を支持するストッパー１３を設ける。この台１１の前方から、紙パック３の底部近くの側面１２を切断するため、底部５に水平にスライド可能に、Ｖ字状のカッター１５を設ける。Ｖ字状のカッター１５は、四角形の底部５の前後に延びる中心線２５に対し対称で、四角形の２箇所の角部２３を同時に切断し始める、水平姿勢に、配置される。【選択図】図１
0003177777.tif 000002
【実用新案登録請求の範囲】
【請求項１】
直方体の紙パックを解体するため、前記直方体の四角形の底部を構成する４辺のうちの３辺を切断する器具であって、本体と、この本体に設けられ前記紙パックを載せ前記底部を受ける台と、この台の後方に設けられ前記紙パックの底部近くの側面を支持するストッパーと、前記台の前方から前記載せられた紙パックの底部近くの側面を切断するため、前記底部に水平にスライド可能に設けられ、前記四角形の底部の前後に延びる中心線に対し対称で、前記四角形の２箇所の角部を同時に切断し始める水平姿勢に配置されたＶ字状のカッターと、を有することを特徴とする紙パック切断器具。
【請求項２】
前記本体は、平面図がコの字状の第１枠体を有し、この第１枠体の中央に前記台が設けられ、前記Ｖ字状のカッターは、前記第１枠体と対向して配置され平面図がコの字状の第２枠体の中央に設けられ、この第２枠体のコの字を構成する２つの辺材の先端が、前記第１枠体のコの字を構成する２つの内部が中空に形成された中空辺材の先端の開口から、挿入されることで前記スライドが行われるスライド機構が構成され、前記中空辺材の内側面には、前記水平にスライドする前記カッターを通過させるスリットが形成されることを特徴とする請求項１に記載の紙パック切断器具。 
【考案の詳細な説明】
【技術分野】
【０００１】
この考案は、直方体の紙パックを解体するための紙パック切断器具の構造に関する。
【背景技術】
【０００２】
例えば図３（Ａ）に示すような直方体の紙パックは、牛乳パックや果汁のパックなど広い範囲で、５００ｃｃや１０００ｃｃなどの容器として、利用されている。この紙パックを使用後に有効にリサイクルするために、カッターやハサミ、包丁で、直方体をほぼ展開した状態に解体することが行われている。
一般的に、直方体の上部は、飲み口であり、この飲み口を開放するために、既に解体は途中まで手で行われているので、その解体をさらに手で進め、上部は解体される。そして、紙パックの四角形の底部は、底部を構成する４辺のうちの３辺を、カッター等で切断する。その後、４つの側面が有する４つの縦辺のうち１つの縦辺を、カッター等で切断する。そうすると、直方体を、底部が一部で連続している、ほぼ展開した状態に解体できる（図３（Ｂ）参照）。
【０００３】
下記特許文献１では、上述したように底部を構成する４辺のうちの３辺を切断するため、便利な器具が提案されている。
すなわち図４（Ａ）に示すように、この器具１０１では、直方体の紙パック１０３を載せる台１０５に、この台１０５から少し浮かせた位置に、Ｖ字状のカッター１０７を水平姿勢で設ける。そして、紙パック１０３を手１０９で持って台１０５の上に載せ、カッター１０７に向かって滑らせると、Ｖ字状のカッター１０７が、紙パック１０３の底部１１０の３辺１１１を切断する。その際、Ｖ字状のカッター１０７は、底部１１０近くの側面１１３で、底部１１０の四角形の２箇所の角部１１５の部分を、同時に切断し始め、安定した切断を行う。
【先行技術文献】
【特許文献】
【０００４】
【特許文献１】３０８３１４２
【考案の概要】
【考案が解決しようとする課題】
【０００５】
しかしながら、上記特許文献１の器具では、図４（Ｂ）に示すように、Ｖ字状のカッター１０７が力ｆ１によって切断を行う上下位置と、紙パック１０３を手で持ち力ｆ２で押す上下位置には、大きな上下距離Ｌがある。この上下距離Ｌによって、紙パック１０３にモーメントが働き、紙パック１０３が潰れてしまいやすく、カッター１０７による剪断力が効率的に働かない。上下距離Ｌを小さくするためには、手１０９で紙パック１０３を持つ位置を底部１１０近くにする必要があり、持ちにくい。仮に、そのように持っても、底部１１０近くはカッター１０７へ近接するので、手に怪我をする可能性が高くなり危険である。
【０００６】
この考案は、以上の問題点を解決するために、紙パックの底部を切断することができ、紙パックが潰れにくく、カッターによる剪断力が効率的に働き、手に怪我をする可能性の少ない紙パック切断器具を提供することを目的とする。
【課題を解決するための手段】
【０００７】
以上の課題を解決するために、第一考案は、直方体の紙パックを解体するため、前記直方体の四角形の底部を構成する４辺のうちの３辺を切断する器具であって、本体と、この本体に設けられ前記紙パックを載せ前記底部を受ける台と、この台の後方に設けられ前記紙パックの底部近くの側面を支持するストッパーと、前記台の前方から前記載せられた紙パックの底部近くの側面を切断するため、前記底部に水平にスライド可能に設けられ、前記四角形の底部の前後に延びる中心線に対し対称で、前記四角形の２箇所の角部を同時に切断し始める水平姿勢に配置されたＶ字状のカッターと、を有することを特徴とする紙パック切断器具である。
【０００８】
第二考案は、さらに、前記本体は、平面図がコの字状の第１枠体を有し、この第１枠体の中央に前記台が設けられ、前記Ｖ字状のカッターは、前記第１枠体と対向して配置され平面図がコの字状の第２枠体の中央に設けられ、この第２枠体のコの字を構成する２つの辺材の先端が、前記第１枠体のコの字を構成する２つの内部が中空に形成された中空辺材の先端の開口から、挿入されることで前記スライドが行われるスライド機構が構成され、前記中空辺材の内側面には、前記水平にスライドする前記カッターを通過させるスリットが形成されることを特徴とする請求項１に記載の紙パック切断器具である。
【考案の効果】
【０００９】
第一、又は第二考案によれば、直方体の紙パックを台に載せ、Ｖ字状のカッターをスライドさせれば、紙パックである直方体の四角形の底部を構成する４辺のうちの３辺を、切断できる。
このとき、カッターがどのように力を加えられてスライドするものであっても、紙パックの底部近くの側面を切断するカッターの上下位置と、紙パックの底部近くの側面を支持するストッパーの上下位置との上下距離Ｌ２は、十分に小さくできる。上下距離Ｌ２を小さくできるので、これらの力によって紙パックに生じるモーメントは小さく、よって、紙パックは潰れにくい。このため、カッターによる剪断力が効率的に働く。また、紙パックを手で持つ必要がないので、手に怪我をする可能性も少ない。
【００１０】
第二考案によれば、さらに、第１枠体と第２枠体とを対向して配置した構成により器具を構成するので、構成がシンプルで、製造コストを抑えることができる。さらに、器具を使用しないときには、スライドを深く行った状態で第１枠体と第２枠体とをコンパクトな四角形に縮めることができ、収納や持運びに便利である。
【図面の簡単な説明】
【００１１】
【図１】（Ａ）はこの考案の一実施形態にかかる紙パック切断器具を示す斜視図、（Ｂ）は（Ａ）の平面図である。
【図２】（Ａ）は図１（Ａ）の動作を示す図、（Ｂ）は（Ａ）の平面図である。
【図３】（Ａ）は図１の器具による切断の対称となる紙パックの斜視図、（Ｂ）は（Ａ）が切断により解体された図、（Ｃ）は図１（Ａ）の作用を示す紙パックの側面図である。
【図４】（Ａ）は従来の器具を示す使用状態の斜視図、（Ｂ）は（Ａ）の問題点を説明する側面図である。
【考案を実施するための形態】
【００１２】
この考案の実施形態を、図１〜図３に示す。
【００１３】
［全体概略］
図１、図３（Ａ）（Ｂ）に示すように、この実施形態にかかる紙パック切断器具１は、直方体の紙パック３を解体するため、その直方体の四角形の底部５を構成する４辺のうちの３辺７を、切断する器具１である。
【００１４】
図１に示すように、この器具１は、本体９と、紙パック３を載せる台１１と、この台１１の後方に設けられ紙パック３を支持するストッパー１３と、紙パック３の底部５近くの側面１２を切断するため、台１１から少し浮いた状態で、水平にスライド可能に設けられるＶ字状のカッター１５と、を有する。
【００１５】
［本体９］
本体９は、平面図がコの字状の第１枠体１７を有してなる。また、平面図がコの字状の第２枠体１９が、この第１枠体１７と対向して配置される。この対向した状態で、第１枠体１７に対して第２枠体１９は、前進後退できるスライド機構２１を有する。この対向した配置により、全体は、四角形の枠状をなす。
【００１６】
［台１１］
台１１は、コの字状の本体９の中央に底板として設けられ、紙パック３が載せられる。載せられた紙パック３の底部５は、この台１１に、ぴったりと受けられる。
［ストッパー１３］
ストッパー１３は、台１１の後方に、すなわち図中右側に設けられ、紙パック３の底部５近くの側面１０を支持する。
【００１７】
［カッター１５］
カッター１５は、Ｖ字状をなすことで、紙パック３の底部５近くの側面１２で、底部５の四角形の２箇所の角部２３の部分を（図１（Ｂ）参照）、同時に切断し始め、安定した切断を行う。
このＶ字状のカッター１５は、第２枠体１９の中央に設けられる。そして、第１枠体１７に対して、第２枠体１９とともにカッター１５が、スライドして前進後退できる。
このＶ字状のカッター１５は、台１１の前方から、この台１１に載せられた紙パック３の底部５近くの側面１２へ向かってスライドし、そして、この側面１２を切断する。このため、カッター１５は、紙パック３の底部５に水平にスライド可能に設けられる。また、四角形の底部５の前後に延びる中心線２５に対し対称に配置される。さらに、四角形の２箇所の角部２３を同時に切断し始めるよう、Ｖ字状のＶ字の両先端を、紙パック３の方へ向け、Ｖ字状を水平な姿勢にして配置される。
【００１８】
［スライド機構２１］
第１枠体１７に対して第２枠体１９が前進後退できるスライド機構２１が構成される。すなわち、第１枠体１７のコの字を構成する２つ辺は、内部が中空に形成される。この中空辺材２７の先端は開口２９している。そして、この開口２９から、第２枠体１９のコの字を構成する２つの辺材の先端が、挿入される。
【００１９】
また、中空辺材２７の内側面には、中空内部と通じるスリット３１が、中空辺材２７の長手方向へ形成される。このスリット３１により、水平にスライドするカッター１５を、干渉なく通過させる。
【００２０】
［その他］
器具１の台１１の裏側などに磁石を設けて、冷蔵庫の扉などに吸着させて、器具１を保持することができる。また、枠体１７，１９の角部１５にリングを設けて、台所のフックなどに係止して、器具１を保持することができる。
また、この器具１には、図示しない別のカッターが備えられる。すなわち、紙パック３の４つの側面が有する４つの縦辺のうち１つの縦辺３３（図３（Ａ）（Ｂ）参照）を切断するカッターである。
さらに、器具１を使用しないときには、第１枠体１７に対して第２枠体１９を深く前進スライドした状態とすることで、全体をコンパクトな四角形に縮めることができる。そのとき、このコンパクトな四角形の下底は台１１で外部から遮蔽されるものの、四角形の上底が外部へ露出しないように、蓋で覆われるようにするために、図示しないそのような蓋を備えるものとする。
【００２１】
「実施形態の作用・効果」
以上の実施形態では、図１に示すように、直方体の紙パック３（図３（Ａ））を器具１の台１１に載せ、第２枠体１９のコの字の背部３５を手９で押して、図２に示すように、Ｖ字状のカッター１５をスライドさせれば、紙パック３である直方体の四角形の底部５を構成する４辺のうちの３辺７を、切断できる。
【００２２】
その後に、紙パック３の４つの側面が有する４つの縦辺のうち１つの縦辺３３を、別の図示しない通常のカッターで切断する。そうすると、直方体を、底部５が一部で連続している、ほぼ展開した状態に解体できる（図３（Ｂ）参照）。
さて、器具１による底部５の切断のときに、図３（Ｃ）に示すように、ストッパー１３の上下位置は、カッター１５の上下位置とあまり変わらない位置にできる。よって、紙パック３の底部５近くの側面１２を切断するカッター１５が加える力Ｆ１の上下位置と、紙パック３の底部５近くの側面１０を支持するストッパー１３が加える反力Ｆ２の上下位置との上下距離Ｌ２は、十分に小さい。
【００２３】
このように、上下距離Ｌ２を小さくできるので、これらの力によって紙パック３に生じるモーメントは小さく、よって、紙パック３は潰れにくい。
このため、紙パック３は潰れないまま、カッター１５による剪断力が効率的に働く。
また、従来のように紙パック３を手で持つ必要がないか、あるいは、紙パック３の底部５近くを手で持つ必要がないので、手に怪我をする可能性も少ない。
【００２４】
さらに、第１枠体１７と第２枠体１９とを対向して配置した構成により器具１を構成するので、構成がシンプルであり、よって、製造コストを抑えることができる。
さらに、器具１を使用しないときには、第１枠体１７に対して第２枠体１９を深く前進スライドした状態とし、第１枠体１７と第２枠体１９とをコンパクトな四角形に縮めることができる（図２参照）ので、この器具１の収納や持運びに便利である。
【００２５】
「他の実施形態」
以上の実施形態では、スライド機構２１は、第１枠体１７に対して、カッター１５が設けられる第２枠体１９が前進後退できるスライド機構２１であったが、他の実施形態では、そのような構成に限らず、台１１の前方から紙パック３の底部５近くの側面１２を切断するため、底部５に水平にスライド可能とする構成であれば、他の構成でも構わない。
以上の実施形態では、Ｖ字状のカッターのＶ字状は2つの直線からなるものであったが、他の実施形態では、やや湾曲する2つの線からなるＶ字状のカッターであっても、構わない。
【符号の説明】
【００２６】
１…器具、３…紙パック、５…底部、７…切断される３辺、９…本体、１１…台、１３…ストッパー、１５…カッター、１７・・第１枠体、１９・・第２枠体、２１・・スライド機構、２３・・角部、２５・・中心線、２７・・中空辺材、２９・・開口、３１・・スリット、３３・・縦辺。
【図１】
0003177777.tif 000003
【図２】
0003177777.tif 000004
【図３】
0003177777.tif 000005
【図４】
0003177777.tif 000006